(57)【要約】      （修正有）【課題】組み立てが容易でかつ組み立て状態を保持し易いワンタッチケース用シートを提供する。【解決手段】ワンタッチケース用シートは、周壁構成部１及び底構成部２を備え、底構成部が、組み立て状態で少なくとも部分的に突き合わされる一対の長辺底フラップ９、１１と、一対の長辺底フラップの一方の内面側に貼り合される一対の短辺底フラップ１０、１２とを有し、一対の短辺底フラップの非貼り合わせ部分１７、１８が、周壁構成部の四角筒状への組み立てに際して一対の長辺底フラップの他方の底面側に滑り込むことで底構成部が底として組み立てられる。非貼り合わせ部分が、組み立て状態で短辺底フラップの基端縁１０ａ、１２ａ及び長辺底フラップの先端縁９ｂ、１１ｂを二つの等辺とする直角二等辺三角形状の第一領域１９、２０と、第一領域の底辺から突出する二つの突出部を形成する階段状の第二領域２１、２２とを有する。【選択図】図１
0003199249.tif 000002
【実用新案登録請求の範囲】
【請求項１】
連設される四つの側面パネルを有し、四角筒状に組み立てられる周壁構成部と、上記四つの側面パネルの下縁から延出し、四角筒状に組み立てられた周壁構成部の底を構成する四つの底フラップを有する底構成部とを備える一枚のシートから形成され、
上記底構成部が、組み立て状態で少なくとも部分的に突き合わされる一対の長辺底フラップと、この一対の長辺底フラップの一方の内面側に貼り合される一対の短辺底フラップとを有し、この一対の短辺底フラップの非貼り合わせ部分が、上記周壁構成部の四角筒状への組み立てに際して一対の長辺底フラップの他方の底面側に滑り込むことで上記底構成部が底として組み立てられるワンタッチケース用シートであって、
上記非貼り合わせ部分が、組み立て状態で短辺底フラップの基端縁及び長辺底フラップの先端縁を二つの等辺とする直角二等辺三角形状の第一領域と、この第一領域の底辺から突出する二つの突出部を形成する階段状の第二領域とを有することを特徴とするワンタッチケース用シート。
【請求項２】
上記非貼り合わせ部分の短辺底フラップ先端縁側の突出部が、短辺底フラップの先端縁を隣辺とする直角三角形状である請求項１に記載のワンタッチケース用シート。
【請求項３】
上記第一領域の短辺底フラップ基端縁側の底角から短辺底フラップ先端縁側の突出部の突出方向先端までの距離が、長辺底フラップの延出長さより大きく、上記第一領域の短辺底フラップ基端縁側の底角から底フラップ基端縁側の突出部の突出方向先端までの距離が、長辺底フラップの延出長さより小さい請求項１又は請求項２に記載のワンタッチケース用シート。
【請求項４】
上記突出部の短辺底フラップの基端縁に平行な方向の幅が、短辺底フラップの基端縁の長さの１／８以上１／３以下である請求項１、請求項２又は請求項３に記載のワンタッチケース用シート。
【請求項５】
上記長辺底フラップ及び一対の短辺底フラップの側面パネルからの延出長さが短辺底フラップの基端縁の長さの略１／２である請求項１から請求項４のいずれか１項に記載のワンタッチケース用シート。
【考案の詳細な説明】
【技術分野】
【０００１】
本考案は、ワンタッチケース用シートに関する。
【背景技術】
【０００２】
連設される四つの側面パネルを有し、四角筒状に組み立てられる周壁構成部と、上記四つの側面パネルの下縁から延出し、四角筒状に組み立てられた周壁構成部の底を構成する四つの底フラップを有する底構成部とを備える一枚のシートから形成され、上記底構成部が、組み立て状態で先端縁が突き合わされる一対の長辺底フラップと、この一対の長辺底フラップの一方の内面側に貼り合される一対の短辺底フラップとを有し、この一対の短辺底フラップの非貼り合わせ部分が、組み立て状態で上記周壁構成部の四角筒状への組み立てに際して一対の長辺底フラップの他方の底面側に滑り込むことで上記底構成部が底として組み立てられるワンタッチケースが知られている。
【０００３】
一般的なワンタッチケースとしては、例えば段ボール箱として、ＪＩＳ−Ｚ１５０７（２０１３）に「のり付簡易組み立て形（コード番号：０７１２）」が規定されている。また、ワンタッチケースは、段ボール箱以外にも例えばコートボール紙で形成されるカートン等としても広く採用されている。上記ＪＩＳに規定されるワンタッチケースは、長辺底フラップの先端縁中央が突き合わされ、両側側部が重なり合うよう互いに噛み合わされるよう構成し、長辺底フラップと短辺底フラップとの重複を大きくすることとによって、組み立て状態を保持し易くしている。
【０００４】
また、短辺底フラップの長辺底フラップの底面側に滑り込む側の側縁を突出させて長辺底フラップとの重複を大きくすることにより、組み立て状態から折り畳み状態に戻り難いようにした箱も提案されている（例えば実開平１−１５８４１９号公報参照）。この公報に記載されるように短辺底フラップの側縁を基端から先端にかけて長辺底フラップ側に突出させると、箱用シートを折り畳み状態から側面パネル間の角度を少しだけ変化させた状態で、短辺底フラップを長辺底フラップの底面側に滑り込ませなければならない。しかしながら折り畳み状態からの変形量が小さいと、短辺底フラップと長辺底フラップとの厚さ方向のずれ量が小さく、短辺底フラップを長辺底フラップの底面側に容易に滑り込ませることができず、作業性が十分ではない。
【０００５】
また、上記ＪＩＳに規定又は上記公報に記載されるように、長辺底フラップ同士を噛み合わせるよう構成すると、箱の高さ方向にシートの長さが大きくなるため、コストアップにつながる。そこで、いわゆるＡ式カートンの蓋フラップのように、底を形成する一対の長辺底フラップ及び一対の短辺底フラップの周壁構成部からの延出長さを短辺底フラップの基端縁の長さの略１／２とし、長辺底フラップの先端縁同士を突き合わせるようにして底を封止するようにすることで、使用するシートを小さくすることができる。しかしながら、このように、長辺底フラップ同士の噛み合わせをなくすと、組み立て状態からシートの復元力によって折り畳み状態に戻り易くなるという不都合が生じる。
【先行技術文献】
【特許文献】
【０００６】
【特許文献１】実開平１−１５８４１９号公報
【考案の概要】
【考案が解決しようとする課題】
【０００７】
上記不都合に鑑みて、本考案は、組み立てが容易でかつ組み立て状態を保持し易いワンタッチケース用シートを提供することを課題とする。
【課題を解決するための手段】
【０００８】
上記課題を解決するためになされた考案は、連設される四つの側面パネルを有し、四角筒状に組み立てられる周壁構成部と、上記四つの側面パネルの下縁から延出し、四角筒状に組み立てられた周壁構成部の底を構成する四つの底フラップを有する底構成部とを備える一枚のシートから形成され、上記底構成部が、組み立て状態で少なくとも部分的に突き合わされる一対の長辺底フラップと、この一対の長辺底フラップの一方の内面側に貼り合される一対の短辺底フラップとを有し、この一対の短辺底フラップの非貼り合わせ部分が、組み立て状態で上記周壁構成部の四角筒状への組み立てに際して一対の長辺底フラップの他方の底面側に滑り込むことで上記底構成部が底として組み立てられるワンタッチケース用シートであって、上記非貼り合わせ部分が、組み立て状態で短辺底フラップの基端縁及び長辺底フラップの先端縁を二つの等辺とする直角二等辺三角形状の第一領域と、この第一領域の底辺から突出する二つの突出部を形成する階段状の第二領域とを有することを特徴とする。
【０００９】
当該ワンタッチケース用シートは、短辺底フラップの非貼り合わせ部分が、上記第一領域と、この第一領域の底辺から突出する二つの突出部を形成する階段状の第二領域とを有するので、山形に形成される突出部の先端のピンポイントに特定される角の部分から短辺底フラップを長辺底フラップの底側に比較的簡単に滑り込ませるができるので、比較的容易に組み立て作業を行うことができる。また、組み立て状態において、突出部が長辺底フラップに当接することで、当該ワンタッチケース用シートは、組み立て状態から折り畳み状態に戻ることが抑制され、組み立て状態を保持し易い。
【００１０】
上記非貼り合わせ部分の短辺底フラップ先端縁側の突出部が、短辺底フラップの先端縁を隣辺（直角を挟む辺）とする直角三角形状であるとよい。このように、上記非貼り合わせ部分の短辺底フラップ先端縁側の突出部が、短辺底フラップの先端縁を隣辺とする直角三角形状であることによって、突出部の搖動半径が大きくなるので、突出部と長辺底フラップとの摩擦によるモーメントが大きくなり、当該ワンタッチケース用シートが組み立て状態から折り畳み状態に戻ることを効率よく抑制できる。
【００１１】
上記第一領域の短辺底フラップ基端縁側の底角から短辺底フラップ先端縁側の突出部の突出方向先端までの距離が、長辺底フラップの延出長さより大きく、上記第一領域の短辺底フラップ基端縁側の底角から底フラップ基端縁側の突出部の突出方向先端までの距離が、長辺底フラップの延出長さより小さいとよい。この構成によれば、組み立て過程において、基端縁側の突出部が長辺底フラップの側縁から重なり始め、先端縁側の突出部が長辺底フラップの先端縁から重なり始めることで、第一領域が長辺底フラップの底面側に滑り込むことがより容易となる。
【００１２】
上記突出部の短辺底フラップの基端縁に平行な方向の幅としては、短辺底フラップの基端縁の長さの１／８以上１／３以下であるとよい。このように、上記突出部の短辺底フラップの基端縁に平行な方向の幅が上記範囲内であることによって、当該ワンタッチケース用シートが組み立て状態から折り畳み状態に戻ることを抑制する効果と、組み立て時に短辺底フラップを長辺底フラップの底面側にスムーズに案内する効果とのバランスを最適化することができる。
【００１３】
上記長辺底フラップ及び一対の短辺底フラップの側面パネルからの延出長さとしては、短辺底フラップの基端縁の長さの略１／２が好ましい。このように、上記長辺底フラップ及び一対の短辺底フラップの側面パネルからの延出長さが上記範囲内であることによって、当該ワンタッチケース用シートが組み立て状態から折り畳み状態に戻ることを抑制する効果が顕著となる。
【００１４】
ここで、「階段状」とは、一辺が略平行な複数の三角形状の突出部を形成するようなジグザグな外縁を有する形状を意味する。なお、「略平行」とは、両者のなす角度が１０°以下、好ましくは５°以下であることを意味する。また、「略１／２」とは、１／２との差が１０ｍｍ以下、好ましくは５ｍｍ以下であることを意味する。
【考案の効果】
【００１５】
以上のように、本考案に係るワンタッチケース用シートは、組み立てが容易でかつ組み立て状態を保持し易い。
【図面の簡単な説明】
【００１６】
【図１】本考案の一実施形態のワンタッチケース用シートの展開状態を示す模式的平面図である。
【図２】図１のワンタッチケース用シートを組み立ててなる箱体の底面図である。
【図３】図１のワンタッチケース用シートの糊付け途中の状態を示す模式的斜視図である。
【図４】図１のワンタッチケース用シートの組み立て途中の状態を示す模式的底面図である。
【図５】本考案の図１とは異なる実施形態のワンタッチケース用シートの展開状態を示す模式的平面図である。
【考案を実施するための形態】
【００１７】
以下、適宜図面を参照しつつ、本考案の実施の形態を詳説する。
【００１８】
［第一実施形態］
図１乃至図４のワンタッチケース用シートは、一枚のシートから形成され、四角筒状に組み立てられる周壁構成部１と、周壁構成部１の下縁から延出し、四角筒状に組み立てられた周壁構成部１の底を構成する底構成部２と、周壁構成部１の上縁から延出し、四角筒状に組み立てられた周壁構成部１の蓋（天板）を構成する蓋構成部３とを有する。なお、図中の太い実線はシートが切断されるエッジを示し、細い実線はシートを型押しして形成される罫線（折り曲げ容易線）を示し、二点鎖線は説明のためにのみ図示する仮想線である。
【００１９】
当該ワンタッチケース用シートを形成するシートとしては、自身を平板状に維持する腰を有し、かつ折り曲げによって塑性変形する薄板状体であればよく、例えば段ボールシート、ボール紙、プラスチックシート等を用いることができる。中でも、シートとして後述する組み立ての困難さを大きくする厚さを有する段ボールシートを用いる場合に、本考案の効果が顕著となる。
【００２０】
当該ワンタッチケース用シートに用いる段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２１】
＜周壁構成部＞
周壁構成部１は、横方向に連設される四つの側面パネル、すなわち順番に第１側面パネル４、第２側面パネル５、第３側面パネル６及び第４側面パネル７と、第１側面パネル４の第２側面パネル５と反対側の側縁に連設される継しろ８とを有する。
【００２２】
四つの側面パネル４，５，６，７は、高さが等しい方形状であり、第１側面パネル４と第３側面パネル６との横方向の長さが互いに等しく、第２側面パネル５と第４側面パネル７との横方向の長さが互いに等しく、かつ第２側面パネル５と第４側面パネル７との横方向の長さが第１側面パネル４及び第３側面パネル６の横方向の長さよりも小さい。
【００２３】
継しろ８は、後述するように、第４側面パネル７の第３側面パネル６と反対側の側端部の裏面側（組み立て状態における内面側）に例えば接着剤、ステープラー等を用いて接合される。これにより、周壁構成部１は、無端状に連設され、四つの側面パネル４，５，６，７の間の角度をそれぞれ略９０°とするよう折り曲げられることによって、四角筒状に組み立てられる。
【００２４】
＜底構成部＞
底構成部２は、四つの側面パネル４，５，６，７の下縁からそれぞれ延出する四つの底フラップ、すなわち第１側面パネル４の下縁から延出する第１長辺底フラップ９と、第２側面パネル５の下縁から延出する第１短辺底フラップ１０と、第３側面パネル６の下縁から延出する第２長辺底フラップ１１と、第４側面パネル７の下縁から延出する第２短辺底フラップ１２とを有する。
【００２５】
第１長辺底フラップ９と第２長辺底フラップ１１とは、その基端縁９ａ，１１ａ及び先端縁９ｂ，１１ｂを長辺とする略同一の長方形状に形成され、図２に示すように、組み立て状態において先端縁９ｂ，１１ｂ同士が突き合わされて周壁構成部１の下端を略封止する対を形成する。また、第１短辺底フラップ１０と第２短辺底フラップ１２とは、略同一の形状を有し、一対の長辺底フラップ９，１１の一方の内面側に、例えば接着剤等を用いて貼り合され、組み立て状態において対向する対をなす。より詳しくは、第１短辺底フラップ１０は、部分的に第１長辺底フラップ９の内面側に貼り合され、第２短辺底フラップ１２は、部分的に第２長辺底フラップ１１の内面側に貼り合される。
【００２６】
これら一対の長辺底フラップ９，１１及び一対の短辺底フラップ１０，１２の側面パネル４，５，６，７からの延出長さは、好ましくは短辺底フラップ１０，１２の基端縁１０ａ，１２ａ（側面パネル５，７の下縁）の長さの略１／２であり、互いに等しい。これにより、一対の長辺底フラップ９，１１は、上記のように当該ワンタッチケース用シートを箱型に組み立てたとき、その先端縁９ｂ，１１ｂが突き合わせ状態となる。
【００２７】
第１長辺底フラップ９は、その基端縁９ａ（第１側面パネル４の下縁）の第１短辺底フラップ１０側の端部から先端縁９ｂの中央方向に４５°の角度で伸びるよう折り曲げ容易線９ｃが形成され、この折り曲げ容易線９ｃの延出方向先端側の三角形状の部分がその裏面に第１短辺底フラップ１０が貼り合される折り返し部１３とされる。
【００２８】
第２長辺底フラップ１１は、第１長辺底フラップ９と同様に、その基端縁１１ａの第２短辺底フラップ１２側の端部から先端縁１１ｂの中央方向に４５°の角度で伸びるよう折り曲げ容易線１１ｃが形成され、この折り曲げ容易線１１ｃの延出方向先端側の三角形状の部分がその裏面に第２短辺底フラップ１２が貼り合される折り返し部１４とされる。
【００２９】
一対の短辺底フラップ１０，１２は、図２に示すように、基端縁１０ａ，１２ａに沿う幅方向中央を境に、長辺底フラップ９，１１の一方の裏面側（組み立て状態内側）に貼着される貼り合わせ部分１５，１６と、組み立て状態において長辺底フラップ９，１１の他方の表面側（組み立て状態外面底側）に重ね合わされる非貼り合わせ部分１７，１８とに区分することができる。非貼り合わせ部分１７，１８は、当該ワンタッチケース用シートの折り畳み状態において、貼り合わせ部分１５，１６が貼り合されている長辺底フラップ９，１１と重ね合わされ、周壁構成部１の四角筒状への組み立てに際して長辺底フラップ９，１１の他方の底面側に滑り込む部分である。
【００３０】
なお、貼り合わせ部分１５，１６は、その全面が糊付けされる必要はなく、長辺底フラップ９，１１の一方の裏面側に重ね合わせた状態で保持されればよい。また、非貼り合わせ部分１７，１８は、特に短辺底フラップ１０，１２の基端縁１０ａ、１２ａの近傍では、長辺底フラップ９，１１と重複しなくてもよい。つまり、長辺底フラップ９，１１は、完全な長方形でなくてもよく、例えば当該ワンタッチケース用シートの組み立て時の底フラップ９，１０，１１，１２同士の干渉防止や、シートの折り曲げ性向上のための切除部分等を有してもよい。
【００３１】
当該ワンタッチケース用シートは、図３に示すように、底構成部２を周壁構成部１の裏面側（組み立て状態での内側）に密着させるよう折り返し、さらに折り返し部１３，１４を折り曲げ容易線９ｃ，１１ｃに沿って折り返して、第１長辺底フラップ９の折り返し部１３の表出している裏面の少なくとも一部分（例えば図中のハッチング領域）に接着剤を塗布する。この状態で、第２側面パネル５の裏面に第１側面パネル４を折り返すことで、第１長辺底フラップの折り返し部１３に第１短辺底フラップ１０の貼り合わせ部分１５を貼り合わせることができる。さらに、第２長辺底フラップ１１の折り返し部１４の表出している裏面及び継しろ８の表面に接着剤を塗布し、第３側面パネル６の裏面に第４側面パネル７を折り返すことで、周壁構成部１を無端状に形成すると共に、第２長辺底フラップの折り返し部１４に第２短辺底フラップ１２の貼り合わせ部分１６を貼り合わせることができる。
【００３２】
当該ワンタッチケース用シートは、このように第１側面パネル４及び第４底面パネル７を折り返して貼り合わせることで、略平坦で複数を嵩張らずに積み重ねることができる折り畳み状態となる。このため、当該ワンタッチケース用シートは、通常、上記のように貼り合された折り畳み状態でユーザーに提供される。
【００３３】
非貼り合わせ部分１７，１８は、図２に示すように、組み立て状態、つまり短辺底フラップ１０，１２の貼り合わせ部分１５，１６が長辺底フラップ９，１１に貼り合された状態で、短辺底フラップ１０，１２の基端縁１０ａ，１２ａ及び長辺底フラップ９，１１の基端縁９ａ，１１ａを二つの等辺とする直角二等辺三角形状の第一領域１９，２０と、この第一領域１９，２０の底辺から突出する二つの突出部２１ａ，２１ｂ，２２ａ，２２ｂをそれぞれ形成する階段状の第二領域２１，２２とを有する。つまり、二つの突出部２１ａ，２１ｂ，２２ａ，２２ｂは、突出方向先端（第一領域１９，２０の底辺から最も遠い位置）を直角とする略直角三角形状である。
【００３４】
当該ワンタッチケース用シートを折り畳み状態から組み立てる際、短辺底フラップ１０，１２は、突出部２１ａ，２１ｂ，２２ａ，２２ｂの突出方向先端から長辺底フラップ９，１１の底面側に滑り込ませるよう重ねられる。このように、突出部２１ａ，２１ｂ，２２ａ，２２ｂにより短辺底フラップ１０，１２と長辺底フラップ９，１１との重ねあわせの起点が明確に定められることにより、ユーザーは、短辺底フラップ１０，１２と長辺底フラップ９，１１との上下関係を比較的容易に定めることができ、短辺底フラップ１０，１２を長辺底フラップ９，１１の外側に確実に滑り込ませることができる。
【００３５】
非貼り合わせ部分１７，１８の短辺底フラップ１０，１２の先端縁１０ｂ，１２ｂ側の突出部２１ａ，２２ａは、短辺底フラップ１０，１２の先端縁１０ｂ，１２ｂを一方の隣辺とする直角三角形状である。つまり、一方の突出部２１ａ，２２ａの突出方向先端は、略短辺底フラップ１０，１２の先端縁１０ｂ，１２ｂ上に位置する。これにより、当該ワンタッチケース用シートを箱状に組み立てる際及び組み立て状態から折り畳み状態に戻す際の長辺底フラップ９，１１に対する突出部２１ａ，２２ａの回転半径が大きくなる。このため、組み立て状態において突出部２１ａ，２２ａの長辺底フラップ９，１１に対する摩擦力によるモーメントが大きくなるので、当該ワンタッチケース用シートがシートの弾性力によって組み立て状態から折り畳み状態に戻ることを効果的に防止できる。
【００３６】
突出部２１ａ，２１ｂ，２２ａ，２２ｂの突出方向先端の直角は、面取りされることが好ましい。突出部２１ａ，２１ｂ，２２ａ，２２ｂの突出方向先端の面取り半径の下限としては、５ｍｍが好ましく、７ｍｍがより好ましい。一方、突出部２１ａ，２１ｂ，２２ａ，２２ｂの突出方向先端の面取り半径の上限としては、２０ｍｍが好ましく、１５ｍｍがより好ましい。突出部２１ａ，２１ｂ，２２ａ，２２ｂの突出方向先端の面取り半径が上記下限に満たない場合、突出部２１ａ，２１ｂ，２２ａ，２２ｂの突出方向先端のライナーが長辺底フラップ９，１１の端面に引掛り易くなり、組み立てを容易にする効果が不十分となるおそれがある。一方、突出部２１ａ，２１ｂ，２２ａ，２２ｂの突出方向先端の面取り半径が上記上限を超える場合、突出部２１ａ，２１ｂ，２２ａ，２２ｂの長辺底フラップ９，１１の底面側に滑り込ませ始める起点が定まらず、組み立てを容易にする効果が不十分となるおそれがある。
【００３７】
突出部２１ａ，２１ｂ，２２ａ，２２ｂの短辺底フラップ１０，１２の基端縁１０ａ，１２ａに平行な方向の幅Ｗａ，Ｗｂ（階段のステップ幅）の短辺底フラップ１０，１２の基端縁１０ａ，１２ａの長さ（第２側面パネル５及び第４側面パネル７の下縁の長さ）に対する比の下限としては、１／８が好ましく、１／７がより好ましい。一方、突出部２１ａ，２１ｂ，２２ａ，２２ｂの幅Ｗａ，Ｗｂの基端縁１０ａ，１２ａの長さに対する比の上限としては、１／３が好ましく、１／４がより好ましい。突出部２１ａ，２１ｂ，２２ａ，２２ｂの幅Ｗａ，Ｗｂの基端縁１０ａ，１２ａの長さに対する比が上記下限に満たない場合、当該ワンタッチケース用シートの組み立て状態で突出部２１ａ，２１ｂ，２２ａ，２２ｂの長辺底フラップ９，１１に当接し、折り畳み状態に戻ることを防止する効果が不十分となるおそれがある。逆に、突出部２１ａ，２１ｂ，２２ａ，２２ｂの幅Ｗａ，Ｗｂの基端縁１０ａ，１２ａの長さに対する比が上記上限を超える場合、基端縁１０ａ，１２ａ側の突出部２１ｂ，２２ｂが長辺底フラップ９，１１の側縁に近くなり過ぎることによって、短辺底フラップ１０，１２を長辺底フラップ９，１１の底面側に滑り込ませることが容易でなくなるおそれがある。
【００３８】
第一領域１９，２０の短辺底フラップ基端縁１０ａ，１２ａ側の底角から短辺底フラップ先端縁１０ｂ，１２ｂ側の突出部２１ａ，２２ａの突出方向先端までの距離は、長辺底フラップ９，１１の延出長さより大きいことが好ましい。また、第一領域１９，２０の短辺底フラップ基端縁１０ａ，１２ａ側の底角から底フラップ基端縁側の突出部２１ｂ，２２ｂの突出方向先端までの距離は、長辺底フラップ９，１１の延出長さより小さいことが好ましい。このように先端縁側の突出部２１ａ，２２ａ及び基端縁側の突出部２１ｂ，２２ｂの位置を設定することによって、組み立て過程において、図４に示すように、基端縁側の突出部２１ａ，２２ａが長辺底フラップ９，１１の側縁から重なり始め、先端縁１０ｂ，１２ｂ側の突出部が長辺底フラップ９，１１の先端縁９ｂ，１１ｂから重なり始めることで、第一領域を長辺底フラップの底面側に滑り込ませることがさらに容易となる。
【００３９】
＜蓋構成部＞
蓋構成部３は、四つの側面パネル４，５，６，７の上縁からそれぞれ延出する四つの蓋フラップ、すなわち第１側面パネル４及び第３側面パネル６の上縁からそれぞれ延出する一対の外蓋フラップ２３，２４と、第２側面パネル５及び第４側面パネル７の上縁からそれぞれ延出する内蓋フラップ２５，２６とを有する。
【００４０】
これら四つの蓋フラップ２３，２４，２５，２６の側面パネル４，５，６，７からの延出長さは、内蓋フラップ２５，２６の基端縁（側面パネル５，７の上縁）の長さの略１／２であり、互いに等しい。これにより、当該ワンタッチケース用シートを組み立ててなる箱体は、内蓋フラップ２５，２６を内側に折り曲げてから外蓋フラップ２３，２４を内蓋フラップ２５，２６の上（外面）に折り重ねることにより、外蓋フラップ２３，２４の先端縁が突き合わせ状態となって周壁構成部１が形成する四角筒状体の上端を封止する。外蓋フラップ２３，２４は、封函時には、例えば粘着テープ等によって封止状態を維持するよう固定される。
【００４１】
＜利点＞
当該ワンタッチケース用シートは、短辺底フラップ１０，１２の非貼り合わせ部分１７，１８がそれぞれ二つの突出部２１ａ，２１ｂ，２２ａ，２２ｂを形成する階段状の第二領域２１，２２有している。このため、これらの突出部２１ａ，２１ｂ，２２ａ，２２ｂが組み立て時の短辺底フラップ１０，１２の長辺底フラップ９，１１の底面側への滑り込みを容易にすると共に、シートの弾性力で組み立て状態から折り畳み状態に戻ることを長辺底フラップ９，１１との摩擦により効果的に防止することができる。
【００４２】
［第二実施形態］
図５のワンタッチケース用シートは、一枚のシートから形成され、四角筒状に組み立てられる周壁構成部３１と、周壁構成部３１の下縁から延出し、四角筒状に組み立てられた周壁構成部３１の底を構成する底構成部３２と、周壁構成部３１の上縁から延出し、四角筒状に組み立てられた周壁構成部３１の蓋（天板）を構成する蓋構成部３３とを有する。
【００４３】
図５のワンタッチケース用シートを形成するシートとしては、図１のワンタッチケース用シートを形成するシートと同様とすることができ、好ましくは段ボールシートが使用される。
【００４４】
＜周壁構成部＞
周壁構成部３１は、横方向に連設される四つの側面パネル、すなわち順番に第１側面パネル３４、第２側面パネル３５、第３側面パネル３６及び第４側面パネル３７と、第１側面パネル３４の第２側面パネル３５と反対側の側縁に連設される継しろ３８とを有する。
【００４５】
図５のワンタッチケース用シートの周壁構成部３１及びその各構成要素については、図１のワンタッチケース用シートの周壁構成部１及びその各構成要素と同様とすることができる。
【００４６】
＜底構成部＞
底構成部２は、四つの側面パネル３４，３５，３６，３７の下縁からそれぞれ延出する四つの底フラップ、すなわち第１側面パネル３４の下縁から延出する第１長辺底フラップ３９と、第２側面パネル３５の下縁から延出する第１短辺底フラップ４０と、第３側面パネル３６の下縁から延出する第２長辺底フラップ４１と、第４側面パネル３７の下縁から延出する第２短辺底フラップ４２とを有する。
【００４７】
第１長辺底フラップ３９と第２長辺底フラップ４１とは、対をなし、略同一の形状を有する。また、第１短辺底フラップ４０と第２短辺底フラップ４２とは、対をなし、略同一の形状を有する。これら二対の底フラップ３９，４０，４１，４２は、基端縁（側面パネル３４，３５，３６，３７の下縁）からの延出長さが等しく、短辺底フラップ４０，４２の基端縁（側面パネル３５，３７の下縁）の長さの１／２よりも大きく、長辺底フラップ３９，４１の基端縁（側面パネル３４，３５の下縁）１／２よりも小さい。このため、長辺底フラップ３９，４１は、当該ワンタッチケース用シートの組み立て状態において互いに噛み合うよう、幅方向中央の先端に切欠きが形成され、この切欠き部分において突き合わせ状態となるよう構成されている。
【００４８】
底構成部２は、当該ワンタッチケース用シートを折り畳み状態とする際に、第１長辺底フラップ３９と第１短辺底フラップ４０とが貼り合され、第２長辺底フラップ４１と第２短辺底フラップ４２とが貼り合される。
【００４９】
一対の長辺底フラップ３９，４１は、その基端縁の貼り合される短辺底フラップ４０，４１側の端部から４５°の角度で伸びるよう折り曲げ容易線３９ａ，４１ａが形成され、この折り曲げ容易線３９ａ，４１ａの延出方向先端側の部分がその裏面に短辺底フラップ４０，４２が貼り合される折り返し部４３，４４とされる。
【００５０】
一対の短辺底フラップ４０，４２は、基端縁に沿う幅方向中央を境に、長辺底フラップ３９，４１の一方の裏面側（組み立て状態内側）に貼着される貼り合わせ部分４５，４６と、組み立て状態において長辺底フラップ３９，４１の他方の表面側（組み立て状態外面底側）に重ね合わされる非貼り合わせ部分４７，４８とに区分することができる。非貼り合わせ部分４７，４８は、当該ワンタッチケース用シートの折り畳み状態において、貼り合わせ部分４５，４６が貼り合されている長辺底フラップ３９，４１と重ね合わされ、周壁構成部３１の四角筒状への組み立てに際して長辺底フラップ３９，４１の他方の底面側に滑り込む部分である。
【００５１】
非貼り合わせ部分４７，４８は、短辺底フラップ４０，４２の貼り合わせ部分４５，４６が長辺底フラップ３９，４１に貼り合された状態で、短辺底フラップ４０，４２の基端縁１０ａ，１２ａ及び長辺底フラップ３９，４１の先端縁を二つの等辺とする直角二等辺三角形状の第一領域４９，５０と、この第一領域４９，５０の底辺から突出する二つの突出部５１ａ，５１ｂ，５２ａ，５２ｂをそれぞれ形成する階段状の第二領域５１，５２とを有する。
【００５２】
第二領域５１，５２は、短辺底フラップ４０，４２の先端縁側の突出部５１ａ，５２ａが短辺底フラップ４０，４２の基端縁を踏面とし、基端縁側の突出部５１ｂ，５２ｂが、上記先端縁側の突出部５１ａ，５２ａの踏面と平行で、短辺底フラップ４０，４２の延出方向視で僅かに重複する。つまり、この第二領域５１，５２は、蹴上面が傾斜した階段状である。
【００５３】
図５のワンタッチケース用シートの第二領域５１，５２の作用及び効果は、図１のワンタッチケース用シートの第二領域２１，２２の作用及び効果と同様である。また、図５のワンタッチケース用シートの第二領域５１，５２の突出部５１ａ，５１ｂ，５２ａ，５２ｂの突出方向先端は、図１のワンタッチケース用シートの第二領域２１，２２の突出部２１ａ，２１ｂ，２２ａ，２２ｂの突出方向先端と同様に面取りされることが好ましい。また、図５のワンタッチケース用シートの突出部５１ａ，５１ｂ，５２ａ，５２ｂの幅は、図１のワンタッチケース用シートの突出部２１ａ，２１ｂ，２２ａ，２２ｂの幅と同様とすることができる。
【００５４】
突出部２１ａ，２１ｂ，２２ａ，２２ｂの突出方向先端の角度の下限としては、６０°が好ましく、８０°がより好ましい。一方、突出部２１ａ，２１ｂ，２２ａ，２２ｂの突出方向先端の角度の上限としては、１２０°が好ましく１００°がより好ましい。突出部２１ａ，２１ｂ，２２ａ，２２ｂの突出方向先端の角度が上記下限に満たない場合、突出部の強度が不十分となり、重ね合わされる長辺底フラップの間の摩擦力が小さくなり、当該ワンタッチケース用シートが折り畳み状態に戻ることを防止できないおそれがある。逆に、突出部２１ａ，２１ｂ，２２ａ，２２ｂの突出方向先端の角度が上記上限を超える場合、第一領域からの突出距離が小さくなり、当該ワンタッチケース用シートが折り畳み状態に戻ることを防止できないおそれがある。
【００５５】
第一領域４９，５０の短辺底フラップ基端縁側の底角から先端縁側の突出部５１ａ，５２ａの突出方向先端までの距離は、長辺底フラップ３９，４１の延出長さより大きいことが好ましい。また、第一領域４９，５０の短辺底フラップ基端縁側の底角から底フラップ基端縁側の突出部５１ｂ，５２ｂの突出方向先端までの距離は、長辺底フラップ３９，４１の延出長さより小さいことが好ましい。これにより、組み立て過程において、基端縁側の突出部５１ａ，５２ａが長辺底フラップ３９，４１の側縁から重なり始め、先端縁１０ｂ，１２ｂ側の突出部が長辺底フラップの先端縁から重なり始めることで、第一領域を長辺底フラップの底面側に滑り込ませることがさらに容易となる。
【００５６】
＜蓋構成部＞
蓋構成部３は、四つの側面パネル３４，３５，３６，３７の上縁からそれぞれ延出する四つの蓋フラップ、すなわち第１側面パネル３４及び第３側面パネル３６の上縁からそれぞれ延出する一対の外蓋フラップ５３，５４と、第２側面パネル３５及び第４側面パネル３７の上縁からそれぞれ延出する内蓋フラップ５５，５６とを有する。図５のワンタッチケース用シートにおける蓋フラップ５３，５４，５５，５６は、図１のワンタッチケース用シートにおける蓋フラップ２３，２４，２５，２６と同様とすることができる。
【００５７】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５８】
例として、当該ワンタッチケース用シートにおいて、短辺底フラップの非貼り合わせ部分の第二領域は、踏面が短辺底フラップの基端縁に対して傾斜した階段状であってもよい。また、第二領域の先端縁側の突出部の踏面が、短辺底フラップの先端縁と不連続に形成されてもよい。
【００５９】
一対の長辺底フラップ及び一対の短辺底フラップは、同一形状でなくてもよい。例として、第２短辺底フラップは、継しろを第４側面パネルに貼着する際に干渉しないようにするために、第１短辺底フラップよりも基端縁側の突出部の幅が小さく形成されてもよい。
【産業上の利用可能性】
【００６０】
本考案に係るワンタッチケース用シートは、包装箱として広く利用できる。
【符号の説明】
【００６１】
１，３１  周壁構成部
２，３２  底構成部
３，３３  蓋構成部
４，３４  第１側面パネル
５，３５  第２側面パネル
６，３６  第３側面パネル
７，３７  第４側面パネル
８，３８  継しろ
９，３９  第１長辺底フラップ
９ａ，１０ａ，１１ａ，１２ａ  基端縁
９ｂ，１０ｂ，１１ｂ，１２ｂ  先端縁
９ｃ，１１ｃ，３９ａ，４１ａ  折り曲げ容易線
１０，４０  第１短辺底フラップ
１１，４１  第２長辺底フラップ
１２，４２  第２短辺底フラップ
１３，１４，４３，４４  折り返し部
１５，１６，４５，４６  貼り合わせ部分
１７，１８，４７，４８  非貼り合わせ部分
１９，２０，４９，５０  第一領域
２１，２２，５１，５２  第二領域
２１ａ，２１ｂ，２２ａ，２２ｂ，５１ａ，５１ｂ，５２ａ，５２ｂ  突出部
２３，２４，５３，５４  外蓋フラップ
２５，２６，５５，５６  内蓋フラップ
Ｗａ，Ｗｂ  突出部の幅
【図１】
0003199249.tif 000003
【図２】
0003199249.tif 000004
【図３】
0003199249.tif 000005
【図４】
0003199249.tif 000006
【図５】
0003199249.tif 000007